(57)【要約】【課題】  新たなデザインの採用により搭載された操作デバイスに対応して、ユーザが利用し易い新たなＧＵＩを実現する。【解決手段】  携帯電話端末は、回転操作と押し込み操作及び引き出し操作が可能となされた４方向ジョグデバイス３を備えている。４方向ジョグデバイス３が矢印Ｙａに示すように回転操作されると、携帯電話端末は、第１階層のメニュー画面Ｌ１をディスプレイ４に表示（図５の（Ｂ））させる。第１階層のメニュー画面Ｌ１の表示状態の時に、４方向ジョグデバイス３が矢印Ｙｂへ押し込み操作されると、携帯電話端末は、下位の第２階層のメニュー画面Ｌ２をディスプレイ４に表示（図５の（Ｃ））させる。逆に、４方向ジョグデバイス３が引き出し操作されると、携帯電話端末は、上位階層のメニュー画面をディスプレイ４に表示させる。【選択図】  図５
2007122516.tif 000002
【特許請求の範囲】
【請求項１】
端末筐体の所定の軸方向に対して略々平行な第１の方向への操作を検出する第１の操作検出デバイスと、当該第１の方向とは略々逆方向である第２の方向への操作を検出する第２の操作検出デバイスとが一体化された操作部と、
上記所定の軸方向に対して略々平行な画面を備え、少なくとも階層化されたメニュー構造を表示可能な表示部と、
上記第１の操作検出デバイスによる上記第１の方向への操作検出に応じて、上記表示部の画面上で上記第１の方向へ順次メニュー階層を下位へ遷移表示させ、上記第２の操作検出デバイスによる上記第２の方向への操作検出に応じて、上記表示部の画面上で上記第２の方向へ順次メニュー階層を上位へ遷移表示させる制御部と、
を有することを特徴とする携帯情報端末。
【請求項２】
請求項１記載の携帯情報端末であって、
上記制御部は、上記第１の操作検出デバイスにて上記第１の方向への操作検出がなされてメニュー階層を下位へ遷移させる時、当該メニュー階層への遷移に際して選択された上位の各メニュー階層を表す情報を、上記遷移したメニュー階層の表示位置に対して上記第２の方向へメニュー階層の低い順に配列表示することを特徴とする携帯情報端末。
【請求項３】
請求項２記載の携帯情報端末であって、
上記制御部は、上記第２の操作検出デバイスにて上記第２の方向への操作検出がなされてメニュー階層を上位へ遷移させる時、当該遷移したメニュー階層の下位メニュー階層を表す情報を、メニュー階層の低い順に上記表示部の画面上から順次消去することを特徴とする携帯情報端末。
【請求項４】
請求項１記載の携帯情報端末であって、
上記所定の軸方向は端末筐体の長軸方向であり、
上記操作部は端末筐体の長軸方向の一方の端部に配され、
上記第１の操作検出デバイスは、上記操作部を上記端末筐体の一方の端部側へ押し込む方向の操作を検出し、
上記第２の操作検出デバイスは、上記操作部を上記端末筐体の一方の端部側から引き出す方向への操作を検出することを特徴とする携帯情報端末。
【請求項５】
請求項１乃至請求項４のうち、何れか一項に記載の携帯情報端末であって、
上記操作部は、上記端末筐体の上記所定の軸方向を軸中心とする回転方向への操作を検出する第３の操作検出デバイスが、上記第１，第２の操作検出デバイスと一体化されて形成されており、
上記制御部は、上記第１或いは第２の操作検出デバイスによる操作検出に応じて遷移したメニュー階層に含まれる複数のメニュー項目を、上記表示部の画面上にて上記所定の軸方向に対して略々直交する方向に配列表示することを特徴とする携帯情報端末。
【請求項６】
請求項５記載の携帯情報端末であって、
上記制御部は、上記表示部の画面上に配列表示された各メニュー項目を、上記第３の操作検出デバイスによる回転操作検出に応じて、上記直交方向に移動表示させることを特徴とする携帯情報端末。
【発明の詳細な説明】
【技術分野】
【０００１】
本発明は、携帯電話端末等の携帯情報端末に関し、特に操作デバイスの操作と連動するＧＵＩ（Graphical User Interface）に関する。
【背景技術】
【０００２】
近年は携帯電話端末の普及が進み、多くの人が携帯電話端末を所持している。また、市場に出回っている携帯電話端末には様々なデザインや多様な操作性を備えたのものがあり、ユーザは、それら様々なデザインや操作性を備えた携帯電話端末の中から自分の好みのデザインや操作性を備えたものを購入して使用している。
【０００３】
なお、特開２０００−３０５７５号の公開特許公報（特許文献１）には、ディスプレイとキーボードとメニューを使用するための操作ノブとを備えた移動局が開示されている。この移動局では、操作ノブが回転された時にはメニュー上のアイテムの選択がなされ、また、操作ノブが押された場合には機能が実行され、操作ノブが引っ張られた場合には、最後に実行された機能を無効とするような制御が行われる。
【０００４】
【特許文献１】特開２０００−３０５７５号公報（図２、図４）
【発明の開示】
【発明が解決しようとする課題】
【０００５】
ところで、携帯電話端末のデザインや操作性は端末販売数を向上させる上で重要な要素の一つとなっている。このため、各社は、今後も様々なデザインや操作性を有する端末を市場に提供することで、他社端末との差別化を図っていくものと考えられる。
【０００６】
一方で、携帯電話端末のデザインや操作性を従来のものから大きく変更した場合には、操作デバイスの形状や数、操作方法などが、従来の端末とは大きく異なったものになることが予想される。また、形状や操作方法等が従来とは異なる新たな操作デバイスを携帯電話端末に搭載する場合には、その新たな操作デバイスの操作に対応した新たなＧＵＩも必要になる。勿論、それら新たな操作デバイスやＧＵＩはユーザにとって使いやすいものでなければならない。
【０００７】
本発明は、このような実情に鑑みて提案されたものであり、新たなデザインの採用により搭載された操作デバイスに対応して、ユーザが利用し易い新たなＧＵＩを実現可能とした携帯情報端末を提供することを目的とする。
【課題を解決するための手段】
【０００８】
本発明の携帯情報端末は、端末筐体の所定の軸方向に対して略々平行な第１の方向への操作を検出する第１の操作検出デバイスと、第１の方向とは略々逆方向である第２の方向への操作を検出する第２の操作検出デバイスとが一体化された操作部と、所定の軸方向に対して平行な画面を備え、少なくとも階層化されたメニュー構造を表示可能な表示部と、第１の操作検出デバイスによる第１の方向への操作検出に応じて、表示部の画面上で第１の方向へ順次メニュー階層を下位へ遷移表示させ、第２の操作検出デバイスによる第２の方向への操作検出に応じて、表示部の画面上で第２の方向へ順次メニュー階層を上位へ遷移表示させる制御部とを有することにより、上述した課題を解決する。
【０００９】
すなわち、本発明によれば、操作部の操作方向と、表示部の画面上に表示されるメニュー階層の上位，下位の遷移方向とが対応付けられており、操作部にて第１或いは第２の方向への操作がなされた時、表示部の画面上では当該操作方向へメニュー階層が遷移するように表示される。
【発明の効果】
【００１０】
本発明においては、操作部の操作方向と表示部の画面上に表示されるメニュー階層の上位，下位の遷移方向とを対応付けているため、新たなデザインの採用により搭載された操作デバイスに対応して、ユーザが利用し易い新たなＧＵＩが実現可能となっている。
【発明を実施するための最良の形態】
【００１１】
以下、図面を参照しながら、本発明の携帯情報端末の一実施形態について説明する。
【００１２】
なお、本実施形態では、本発明の携帯情報端末の一例として、携帯電話端末を挙げているが、勿論、ここで説明する内容はあくまで一例であり、本発明はこの例に限定されないことは言うまでもない。
【００１３】
〔携帯電話端末の外観及び構成〕
図１〜図４には、本発明実施形態の携帯電話端末１の概略的な外観を示す。
【００１４】
本実施形態の携帯電話端末１において、端末本体２は、図示したような略々直方体形状を有しており、その筐体内部に後述する回路構成を備え、また、当該端末本体２の筐体の長方形状の一主面部には、例えばＬＣＤ（Liquid Crystal Display）からなるディスプレイ４が設けられている。また、当該端末本体２の筐体の長方形状の各主面部には、例えば側面から入射されたＬＥＤ（Light Emitting Diode）光を所定の模様部分にて散乱させて筐体外部方向へ出射可能となされた導光材部が設けられている。なお、ディスプレイ４が設けられている主面部では、当該ディスプレイ４の下面側に導光部材が配置されている。
【００１５】
上記ディスプレイ４には、例えば、待受画面の表示や、後述するような階層構造となされた各メニュー項目のアイコン表示、着信表示、通話発着信時の電話番号や相手先名等の表示、電話帳（アドレス帳）の表示、インターネット接続先の表示、日時の表示、電子メールの相手先名や作成，編集等されるメール本文の表示等が行われる。なお、着信通知は、上記導光部材の側面に設けられているＬＥＤを発光させて上記所定の模様部分を光らせることにより行うことも可能である。
【００１６】
また、本実施形態の携帯電話端末１において、上記端末本体２の筐体長軸方向の一端部には、４方向ジョグデバイス３が設けられている。
【００１７】
当該４方向ジョグデバイス３は、図２に示すように端末本体２の長軸を中心として矢印Ｙａ方向へ回転操作が可能となされたダイヤルデバイス（第３の操作検出デバイス）と、図３に示すように端末本体２の長軸に沿って矢印Ｙｂ方向へ押し込む操作が可能となされたプッシュデバイス５（第１の操作検出デバイス）と、図４に示すように端末本体２の長軸に沿って矢印Ｙｃ方向へ引き出し可能となされたプルデバイス（第２の操作検出デバイス）とが一体化されたものである。すなわち、当該４方向ジョグデバイス３は、上記ダイヤルデバイスによる図２の矢印Ｙａに示す一方向及びその逆方向からなる二方向の回転操作と、上記プッシュデバイスによる図３中の矢印Ｙｂに示す一方向への押し込み操作と、プルデバイスによる図４中の矢印Ｙｃに示す一方向への引き出し操作の合計四つの方向への操作が可能となされている。そして、当該４方向ジョグデバイス３は、ユーザ等により、それら各方向の何れかの方向への操作がなされた時、それに応じた操作信号を生成し、内部ＣＰＵ等へ出力可能となされている。
【００１８】
このように、本実施形態の携帯電話端末１においては、当該４方向ジョグデバイス３を介したユーザからの四つの方向の操作入力に応じて、例えば、後述するメニュー階層及びメニュー項目の選択や、通話発着信、インターネットへの接続、電話帳（アドレス帳）の入力や編集、電子メールの作成及び編集や送受信を行うようになされている。
【００１９】
〔ディスプレイによるＧＵＩ〕
図５〜図９には、上記４方向ジョグデバイス３における操作に応じてディスプレイ４上に表示されるＧＵＩの一例を示す。ここでは、ディスプレイ４上にメニュー表示がなされ、それらメニュー表示が上記４方向ジョグデバイス３の操作によりどのように遷移するかを例に挙げる。なお、以下に示すＧＵＩはあくまで一例であり、本発明はこの例に限定されないことは言うまでもない。
【００２０】
本実施形態の携帯電話端末１において、例えば着信待受時のようなスタンバイ状態である場合、端末本体２のディスプレイ４には、一例として図５の（Ａ）に示すような複数のアイコン１０が表示される。
【００２１】
この図５の（Ａ）に示すスタンバイ状態の時に、例えば上記４方向ジョグデバイス３のダイヤルデバイスが矢印Ｙａに示すように回転操作されると、本実施形態の携帯電話端末１は、図５の（Ｂ）に示すように最上位階層（第１階層）のメニュー画面Ｌ１を上記ディスプレイ４に表示させる。当該第１階層のメニュー画面Ｌ１は、メニュー選択モードに遷移している状態を表すアイコン１０ａが、例えば画面の最左端（４方向ジョグデバイス３が設けられている一端部と相対応する他端部側）に表示され、当該最上位階層で選択可能な複数の各メニュー項目をそれぞれ表すアイコン１０ｂが、例えば上下方向（具体的にはダイヤルデバイスの回転方向、つまり端末本体２の長軸に対して直交する方向）に並べて表示されたものとなされる。また、それらアイコン１０ｂの近傍には、４方向ジョグデバイス３にて操作入力が可能な方向を表す例えば三角形の方向指示アイコンも表示される。なお、図５の（Ｂ）の表示例の場合、４方向ジョグデバイス３により操作入力が可能な方向は、上記方向指示アイコンから判るように、ダイヤルデバイスによる回転操作の二方向と、プルデバイスによる引き出し操作の一方向となっている。
【００２２】
次に、この図５の（Ｂ）に示す第１階層のメニュー画面Ｌ１の表示状態の時に、プッシュデバイス５が矢印Ｙｂへ押し込み操作されると、本実施形態の携帯電話端末１は、図５の（Ｃ）に示すように第１階層の下層（つまり第２階層）のメニュー画面Ｌ２を上記ディスプレイ４に表示させる。当該第２階層のメニュー画面Ｌ２は、上記第１階層で選択されたメニュー項目に対応した第２階層のアイコン１０ｂが、上記第１階層のアイコン１０ａの例えば右隣りに並べて表示され、さらに当該第２階層にて選択可能な複数の各メニュー項目をそれぞれ表すアイコン１０ｃが、上下方向（ダイヤルデバイスの回転方向）に並べて表示されたものとなされる。また、この場合も上述の第１階層のメニュー画面Ｌ１と同様に、それらアイコン１０ｂの近傍には、４方向ジョグデバイス３にて操作入力が可能な方向を表す方向指示アイコンも表示される。なお、図５の（Ｃ）の表示例の場合、４方向ジョグデバイス３により操作入力が可能な方向は、上記方向指示アイコンから判るように、ダイヤルデバイスによる回転操作の二方向と、プッシュデバイス５による押し込み操作の一方向と、プルデバイスによる引き出し操作の一方向となっている。
【００２３】
次に、この図５の（Ｃ）に示す第２階層のメニュー画面Ｌ２の表示状態の時に、更にプッシュデバイス５が矢印Ｙｂへ押し込み操作されると、本実施形態の携帯電話端末１は、図５の（Ｄ）に示すように第２階層の下層（つまり第３階層）のメニュー画面Ｌ３を上記ディスプレイ４に表示させる。当該第３階層のメニュー画面Ｌ３は、上記第１階層のアイコン１０ａの右隣りに並べられた第２階層のアイコン１０ｂの更に右隣りに、第３階層で選択可能な複数の各メニュー項目をそれぞれ表すアイコン１０ｄが上下方向に並べて表示されたものとなされる。また、この場合も上述同様に、それらアイコン１０ｂの近傍には、４方向ジョグデバイス３にて操作入力が可能な方向を表す方向指示アイコンも表示される。なお、図５の（Ｄ）の表示例の場合、４方向ジョグデバイス３により操作入力が可能な方向は、上記方向指示アイコンから判るように、ダイヤルデバイスによる回転操作の二方向と、プルデバイスによる引き出し操作の一方向となる。
【００２４】
一方、図６の（ａ）に示す第３階層のメニュー画面Ｌ３の表示状態（図５の（Ｄ）の表示状態）の時に、例えばプルデバイスが矢印Ｙｃへ引き出し操作されると、本実施形態の携帯電話端末１は、図６の（ｂ）に示すように上記ディスプレイ４の表示を第２階層のメニュー画面Ｌ２（図５の（Ｃ）の表示状態）へ戻す。
【００２５】
さらに、図６の（ｂ）に示す第２階層のメニュー画面表示Ｌ２の状態（図５の（Ｃ）の表示状態）の時に、例えばプルデバイスが矢印Ｙｃへ引き出し操作されると、本実施形態の携帯電話端末１は、図６の（ｃ）に示すように上記ディスプレイ４の表示を第１階層のメニュー画面Ｌ１（図５の（Ｂ）の表示状態）へ戻す。
【００２６】
同様に、図６の（ｃ）に示す第１階層のメニュー画面Ｌ１の表示状態（図５の（Ｂ）の表示状態）の時に、例えばプルデバイスが矢印Ｙｃへ引き出し操作されると、本実施形態の携帯電話端末１は、図６の（ｄ）に示すように上記ディスプレイ４の表示をスタンバイ状態（図５の（Ａ）の表示状態）へ戻す。
【００２７】
また、例えば図５の（Ｂ）や図６の（ｃ）に示した第１階層のメニュー画面Ｌ１の表示状態の時に、例えばダイヤルデバイスにより矢印Ｙａ方向への回転操作がなされると、本実施形態の携帯電話端末１は、図７に示すように、当該第１階層にて選択可能であるとして上記上下方向に並べて配置されたアイコン１０ｂを、上記ダイヤルデバイスの回転方向に応じて上又は下方向に移動表示させる。
【００２８】
同様に、例えば図５の（Ｃ）や図６の（ｂ）に示した第２階層のメニュー画面Ｌ２の表示状態の時に、例えばダイヤルデバイスにより矢印Ｙａ方向への回転操作がなされると、本実施形態の携帯電話端末１は、図８に示すように、当該第２階層にて選択可能であるとして上記上下方向に並べて配置されたアイコン１０ｃを、上記ダイヤルデバイスの回転方向に応じて上又は下方向に移動表示させる。
【００２９】
同様に、例えば図５の（Ｄ）や図６の（ａ）に示した第３階層のメニュー画面Ｌ３の表示状態の時に、例えばダイヤルデバイスにより矢印Ｙａ方向への回転操作がなされると、本実施形態の携帯電話端末１は、図９に示すように、当該第３階層にて選択可能であるとして上記上下方向に並べて配置されたアイコン１０ｄを、上記ダイヤルデバイスの回転方向に応じて上又は下方向に移動表示させる。
【００３０】
以上説明したように、本実施形態の携帯電話端末１は、スタンバイ状態で４方向ジョグデバイス３のダイヤルデバイスが回転操作された時に、ディスプレイ４上に最上階のメニューリストを展開し、さらに、メニューリストが展開されている時に、４方向ジョグデバイス３のプッシュデバイスの押し込み操作がなされると、メニュー階層を順次下階層に遷移させ、一方、プルデバイスによる引き出し操作がなされると、メニュー階層を順次上階層に遷移（つまり、前動作や前段階への移動であり、「クリア」、「戻る」に相当する。）させるようになされている。また、本実施形態の携帯電話端末１では、メニュー階層が下層に遷移した場合でも、上位階層で選択されたメニュー項目のアイコンを表示させておくようにしている。さらに、本実施形態の携帯電話端末１は、メニューリスト展開がなされている時に、ダイヤルデバイスが回転操作された場合、その時点でのメニュー階層にて選択可能なメニュー項目のアイコンをダイヤルデバイスの回転に応じて上又は下方向に移動表示させるようになされている。すなわち、本実施形態によれば、基本メニュー構造を２軸展開とし、各メニュー階層間の遷移をＹ軸方向、メニュー階層内でのメニュー項目の選択をＸ軸方向に対応させると共に、選択済みの前階層についてもそのまま表示しておくようにしている。
【００３１】
〔携帯電話端末とアクセサリ装置の構成〕
ここで、本実施形態の携帯電話端末１は、前述したディスプレイ４上の表示と４方向ジョグデバイス３による操作入力により、メニュー階層及びメニュー項目の選択や、通話発着信、インターネットへの接続、電話帳（アドレス帳）の入力や編集、電子メールの作成及び編集や送受信などのような、携帯電話端末に必要な基本的な機能を実行可能となされているが、上記ディスプレイ４の表示面積は限られており、４方向ジョグデバイス３によりユーザが入力可能な操作指示も限られ、また、小型筐体に搭載可能なデバイスも限られている。このため、本実施形態では、例えば図１０に示すようなアクセサリ装置２０と携帯電話端末１との間で、ブルートゥース（BlueTooth：登録商標）通信等の近距離無線通信を使用したデータ通信を行うことにより、上記基本機能以外の各種の機能についても実現可能としている。
【００３２】
すなわち本実施形態の携帯電話端末１は、ブルートゥース通信のような近距離無線通信によって上記アクセサリ装置２０との間でデータの送受信を行う機能をも備えている。
【００３３】
一方、上記アクセサリ装置２０は、上記携帯電話端末１との間でデータの送受信を行う近距離無線通信部と、上記携帯電話端末１のディスプレイ４よりも大きな画面を備えたディスプレイ２１と、上記ディスプレイ２１の表面に設けられた透明部材からなるタッチパネル２２と、上記ディスプレイ２１の設置面に相対応した裏面側に配されたディジタルカメラ部及びスピーカ部（図示は省略）等を備えている。
【００３４】
上記タッチパネル２２は、例えば、フリー入力エリア２２ａと、予め決められた所定の複数のソフトキーが割り当てられるソフトキーエリア２２ｂ，２２ｃに分割されている。勿論、全面がフリー入力エリアとなされても良いし、アプリケーションによって自由に設定変更可能となされていても良い。なお、本実施形態において、ソフトキーエリア２２ｂには、例えばディジタルカメラ部や携帯電話端末１との間のデータ通信など、当該アクセサリ装置２０が備えている各機能をダイレクトに実行するダイレクトボタン機能が割り当てられており、ソフトキーエリア２２ｃには、例えばエンター操作やメニュー操作など、各アプリケーションで共通に使用される共通アプリケーションボタン機能が割り当てられている。上記フリー入力エリア２２ａは、フリーハンド入力がなされても良いし、ソフトウェアフルキーボードが割り当てられても良い。
【００３５】
本実施形態のアクセサリ装置２０によれば、大画面のディスプレイ２１及び上記タッチパネル２２、ディジタルカメラ部等を備え、また、近距離無線通信により携帯電話端末１とリンク可能となされていることにより、各種様々な操作指示入力、メニュー階層及びメニュー項目の選択、携帯電話端末１の電話帳（アドレス帳）の入力や編集、携帯電話端末１を介した通話発着信、長文の電子メールの作成や編集、携帯電話端末１を介した電子メールの送受信、ディジタルカメラ部により撮影した画像の表示、携帯電話端末１を通じたウェブページの閲覧等が可能となされている。
【００３６】
その他、本実施形態において、アクセサリ装置２０は取り替え可能なチャーム部２３を備えていても良く、同じく、携帯電話端末１は取り替え可能なチャーム部１１を備えていても良い。
【００３７】
〔携帯電話端末の内部構成〕
図１１には、本実施形態の携帯電話端末１の概略的な内部回路構成を示す。
【００３８】
図１１において、データラインは、音声データや電子メールデータ、画像データなの各種データを伝送するための伝送ラインである。
【００３９】
制御ラインは、ＣＰＵ（中央処理ユニット）により構成されている制御部５０からの制御データなどの各種制御情報を伝送するための伝送ラインである。
【００４０】
アンテナ５２は、前述した端末本体２に内蔵されたアンテナであり、通信回路５１に接続され、基地局との間で信号電波を送受信するのに用いられる。
【００４１】
通信回路５１は、送受信信号の周波数変換、変調と復調等を行う。
【００４２】
ここで、上記アンテナ５２及び通信回路５１にて受信された通話音声データは音声処理部６２へ送られ、それ以外の受信データは、制御部５０へ送られて適切に処理された後、必要に応じて当該制御部５０から各部へ送られる。なお、通話音声以外の受信データは、パケット通信にかかるデータであり、例えば電子メールデータ、動画像や静止画の画像データ、音楽等のデータ、ＨＴＭＬ（Hyper Text Markup Language）データ、プログラムコードのデータ等を挙げることができる。
【００４３】
上記アンテナ５２及び通信回路５１から通話音声データが供給された時の音声処理部６２は、当該通話音声データを復号化し、その復号化後の通話音声データをアナログ音声信号に変換し、そのアナログ音声信号をスピーカ若しくは図示しないイヤホンジャックへ送る。
【００４４】
スピーカ６０は、前述した端末本体２に内蔵され、供給されたアナログ音声信号を内部増幅器により増幅した後、その音声信号を可聴音声に変換して外部に出力する。これにより、スピーカ６０からは通話音声が出力されることになる。
【００４５】
マイクロホン６１は、前述した端末本体２に内蔵され、入力音声をアナログ音声信号に変換すると共に内部増幅器により増幅し、さらにそのアナログ音声信号を音声処理部６２に送る。
【００４６】
上記マイクロホン６１から通話音声信号が供給された時の音声処理部６２は、その通話音声信号をディジタル音声データに変換した後に符号化し、さらにその符号化後の通話音声データを通信回路５１へ送る。これにより、アンテナ５２からは通話音声信号が送信されることになる。
【００４７】
ディスプレイ５４は、前述した端末本体２の一主面部に設けられたディスプレイ４に相当する。ディスプレイ制御部５３は、制御部５０により制御されると共に、制御部５０から供給された表示信号に基づいて上記ディスプレイ５４を駆動制御する。これにより、ディスプレイ５４には、画像や文字等が表示される。
【００４８】
４方向ジョグデバイス部５５は、前述したダイヤルデバイス５５ａとプッシュデバイス５５ｂ（５）とプルデバイス５５ｃが一体化された４方向ジョグデバイス３、及び、それら各デバイスの操作に応じた操作信号を生成して制御部５０へ出力する操作信号生成回路５５ｄとを備えている。
【００４９】
ＬＥＤ部６４は、前述した端末本体２に内蔵され、前記導光部材の側面から光を入射する。当該ＬＥＤ部６４は、制御部５０による制御の元で、ＬＥＤ制御部６３により発光駆動制御がなされる。
【００５０】
近距離無線通信部６５は、前述した端末本体２に内蔵され、制御部５０による制御の元で、アンテナ６６を介して前記アクセサリ装置２０との間でデータ通信を行う。
【００５１】
メモリ部５６は、ＲＯＭ（Read Only Memory）とＲＡＭ（Random Access Memory）を含む。ＲＯＭは、ＯＳ（Operating System）、制御部５０が各部を制御するための制御プログラムや４方向ジョグデバイス部５５からの操作信号に応じた表示制御を実行するためのプログラムコード、近距離無線通信部６５による前述のアクセサリ装置２０との間のデータ通信を実行するためのプログラムコード、各種の初期設定値、フォントデータ、辞書データ、着信音，アラーム音用の各種音データ、電子メールの作成や編集，送受信等を行うためのアプリケーション用のプログラムコード、音声に対して様々な処理を行うためのアプリケーション用プログラムコード、その他、携帯電話端末に搭載される各種のアプリケーション用のプログラムコード、当該携帯電話端末の識別情報（ＩＤ）などを記憶している。このＲＯＭは、ＮＡＮＤ型フラッシュメモリ（NAND-type flash memory）或いはＥＥＰＲＯＭ（Electrically Erasable Programmable Read-Only Memory）のような書き換え可能なＲＯＭを含み、電子メールデータ、電話帳や電子メールアドレス帳のデータ、各種音データ、文字データや予測変換の候補単語の登録データや予測変換の学習データ、その他、各種のユーザ設定値等を保存することも可能となされている。ＲＡＭは、制御部５０が各種のデータ処理を行う際の作業領域として、随時データを格納する。
【００５２】
制御部５０は、ＣＰＵからなり、メモリ部５６に記憶されているＯＳや各種プログラムに基づいて、携帯電話端末の制御、前述した本実施形態にかかる各機能を実現するための制御や各種演算を行う。
【００５３】
その他、図示は省略するが、本実施形態の携帯電話端末１は、非接触通信を行う電子財布機能や、充電端子、バッテリ等も備えている。
【００５４】
〔アクセサリ装置の内部構成〕
図１２には、本実施形態のアクセサリ装置２０の概略的な内部回路構成を示す。
【００５５】
図１２において、データラインは、音声データや電子メールデータ、画像データなの各種データを伝送するための伝送ラインである。
【００５６】
制御ラインは、ＣＰＵにより構成されている制御部７０からの制御データなどの各種制御情報を伝送するための伝送ラインである。
【００５７】
スピーカ８０は、前述したディスプレイ２１の設置面に相対応した裏面側に設けられているスピーカである。当該スピーカ８０は、制御部７０による制御の元で内蔵メモリ（メモリ部７４）から供給された音楽信号等を、内部増幅器により増幅した後、その音楽信号等を可聴音に変換して外部に出力する。これにより、スピーカ８０からは音楽等が出力されることになる。
【００５８】
ディスプレイ７２は、前述したディスプレイ２１である。ディスプレイ制御部７１は、制御部７０により制御されると共に、制御部７０から供給された表示信号に基づいて上記ディスプレイ７２を駆動制御する。これにより、ディスプレイ７２には、画像や文字等が表示される。
【００５９】
タッチパネル部７３は、前述したタッチパネル２２である。当該タッチパネル部７３は、外部からの押圧力を電圧値に変換し、その検出された電圧値をＡ／Ｄ変換し、当該Ａ／Ｄ変換により得られたデータを元に、押圧位置を表す二次元座標データを生成する。当該タッチパネル部７３は、上記押圧力と押圧位置のデータを、内部ＣＰＵである制御部７０に送る。
【００６０】
カメラ部８１は、前述したディスプレイ２１の設置面に相対応した裏面側に設けられているディジタルカメラ部である。当該カメラ部８１は、撮像デバイスにより光像を電気信号に変換して得られた静止画像や動画像のデータを生成し、画像処理部８２に送る。
【００６１】
画像処理部８２は、制御部７０による制御の元で、内蔵メモリ（メモリ部７４）から読み出された圧縮符号化されている画像データを伸張復号化等し、その伸張復号後の画像データをデータラインを介してディスプレイ制御部７１へ送る。また、画像処理部８２は、カメラ部８１により撮影された静止画像や動画像のデータの圧縮符号化等を行い、その圧縮符号化された画像データを、制御部７０による制御の元で、ディスプレイ制御部７１に送り、また、必要に応じて内蔵メモリへ送って記憶させる。
【００６２】
近距離無線通信部８３は、制御部７０による制御の元で、アンテナ８４を介して前記携帯電話端末１との間でデータ通信を行う。
【００６３】
メモリ部７４は、ＲＯＭとＲＡＭを含む。ＲＯＭは、ＯＳ、制御部７０がカメラ部８１やディスプレイ制御部７１、メモリ部７４，画像処理部８２等の各部を制御するための制御プログラムや、タッチパネル部７３からの操作信号に応じた制御を実行するためのプログラムコード、近距離無線通信部８３による前述の携帯電話端末１との間のデータ通信を実行するためのプログラムコード、インターネット等から取得したウェブページのブラウジングプログラムコード、各種の初期設定値、フォントデータ、辞書データ、アラーム音用等の各種音データ、電子メールの作成や編集等を行うためのアプリケーション用のプログラムコード、音声に対して様々な処理を行うためのアプリケーション用プログラムコード、その他、各種のアプリケーション用のプログラムコード、当該アクセサリ装置２０の識別情報（ＩＤ）などを記憶している。当該ＲＯＭは、ＮＡＮＤ型フラッシュメモリ或いはＥＥＰＲＯＭのような書き換え可能なＲＯＭを含み、電子メールデータ、電話帳や電子メールアドレス帳のデータ、各種音データ、文字データや予測変換の候補単語の登録データや予測変換の学習データ、その他、各種のユーザ設定値等を保存することも可能となされている。ＲＡＭは、制御部７０が各種のデータ処理を行う際の作業領域として、随時データを格納する。
【００６４】
制御部７０は、ＣＰＵからなり、メモリ部７４に記憶されているＯＳや各種プログラムに基づいて、当該アクセサリ装置２０の制御、前述した本実施形態にかかる各機能を実現するための制御や各種演算を行う。
【００６５】
その他、図示は省略するが、本実施形態のアクセサリ装置２０は、外部メモリを挿入可能なメモリカードスロットや、いわゆるＧＰＳ（Global Positioning System）機能、ケーブルを接続するための接続端子、充電端子、バッテリ等も備えている。
【００６６】
〔まとめ〕
以上説明したように、本実施形態の携帯電話端末１は、端末本体２の一方の端部に配された４方向ジョグデバイス３の４方向操作に応じて、ディスプレイ４への例えばメニュー階層の展開と閲覧、及びメニュー項目の選択が可能となされ、また、下位のメニュー階層選択時でも上位階層メニューの閲覧が可能となされているため、４方向ジョグデバイス３の操作とディスプレイ４上に表示されたメニューの階層構造との関係、及び、選択可能なメニュー階層の現在地を、ユーザに対して判り易く提供できるＧＵＩを実現可能となっている。すなわち、本実施形態によれば、ユーザは、４方向ジョグデバイス３の操作とメニュー表示のリンクを直感的に認識でき、したがって、複雑になりがちなメニュー構造において次の予期すべき動作と現地点を容易且つ直感的に把握できるようになる。
【００６７】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００６８】
例えば、本発明の携帯情報端末は、携帯電話端末に限定されず、ＰＤＡ等の各種の携帯情報端末にも適用可能である。
【図面の簡単な説明】
【００６９】
【図１】本発明実施形態の携帯電話端末の概略的な外観斜視図である。
【図２】本発明実施形態の携帯電話端末の概略的な外観斜視図であり、４方向ジョグデバイスのダイヤルデバイスが回転操作されている状態を示す図である。
【図３】本発明実施形態の携帯電話端末の概略的な外観斜視図であり、４方向ジョグデバイスのプッシュデバイスが押し込み操作されている状態を示す図である。
【図４】本発明実施形態の携帯電話端末の概略的な外観斜視図であり、４方向ジョグデバイスのプルデバイスが引き出し操作されている状態を示す図である。
【図５】本発明実施形態の携帯電話端末において４方向ジョグデバイスの操作に応じてメニューが上位階層から下位階層へ遷移する様子の説明に用いる画面例を示す図である。
【図６】本発明実施形態の携帯電話端末において４方向ジョグデバイスの操作に応じてメニューが下位階層から上位階層へ遷移する様子の説明に用いる画面例を示す図である。
【図７】本発明実施形態の携帯電話端末においてダイヤルデバイスの回転操作に応じて第１階層でメニュー項目が移動する様子の説明に用いる画面例を示す図である。
【図８】本発明実施形態の携帯電話端末においてダイヤルデバイスの回転操作に応じて第２階層でメニュー項目が移動する様子の説明に用いる画面例を示す図である。
【図９】本発明実施形態の携帯電話端末においてダイヤルデバイスの回転操作に応じて第３階層でメニュー項目が移動する様子の説明に用いる画面例を示す図である。
【図１０】本発明実施形態の携帯電話端末とアクセサリ装置の関係説明に用いる外観斜視図である。
【図１１】本発明実施形態の携帯電話端末の概略的な内部構成を示すブロック図である。
【図１２】本発明実施形態のアクセサリ装置の概略的な内部構成を示すブロック図である。
【符号の説明】
【００７０】
１  携帯電話端末、２  端末本体、３，５５  ４方向ジョグデバイス、４，２１，５４，７２  ディスプレイ、５，５５ｂ  プッシュデバイス、１０  アイコン、Ｌ１  第１階層のメニュー画面、Ｌ２  第２階層のメニュー画面、Ｌ３  第３階層のメニュー画面、２０  アクセサリ装置、２２  タッチパネル、１１，２３  チャーム部、５０，７０  制御部、５１  通信回路、５２  通信用のアンテナ、５３，７１  ディスプレイ制御部、５５ａ  ダイヤルデバイス、５５ｃ  プルデバイス、５５ｄ  操作信号生成回路、５６，７４  メモリ部、６０，８０  スピーカ、６１  マイクロホン、６２  音声処理部、６３  ＬＥＤ制御部、６４  ＬＥＤ、６５，８３  近距離無線通信部、６６，８４  近距離無線通信用のアンテナ
【図１】
2007122516.tif 000003
【図２】
2007122516.tif 000004
【図３】
2007122516.tif 000005
【図４】
2007122516.tif 000006
【図５】
2007122516.tif 000007
【図６】
2007122516.tif 000008
【図７】
2007122516.tif 000009
【図８】
2007122516.tif 000010
【図９】
2007122516.tif 000011
【図１０】
2007122516.tif 000012
【図１１】
2007122516.tif 000013
【図１２】
2007122516.tif 000014